(57)【要約】      （修正有）【課題】  従来アイロンはスチーム（蒸気）機能はあったが蒸気は湿度が高く、乾燥に時間が掛かることや図３から分るように乾燥力が低い為に梅雨時期の生乾きなど不便な場合が多かった。それをメッシュ状のヒーター機能を付けることで温度の低い加熱空気を使い衣類に直接吹き抜けさせてアイロン掛けの際乾燥できるようにし、アイロン掛けの時間を短かくし乾燥力も高くし生乾きを無くし、前記欠点を除くこと。【解決手段】  アイロン１０の握り３内部右端に送風機５をまた外部右端に防護網６を中央には送風機５を左端には温度等の切換えスイッチ１を、送風機５から底板９までは空気の通り道４を取り付け、底板９には空気孔８を空け底板９の上にエアシールの為のエアシールカバー７を取り付けアイロン掛けの際加熱空気を使い衣類に直接吹き抜けさせて乾燥さすことができる。【選択図】  図１
2006218274.tif 000002
【特許請求の範囲】
１
エアシールカバー７でエアシールしたアイロン１０内部の空間にある空気にメッシュ状のヒーター２による加熱を加わえることにより飽和水蒸気曲線図３によって証明される加熱による飽和水蒸気量上昇分、上限上昇分の蒸気の吸水力をもたせることでより乾燥し易い空気を作り、その加熱した空気を送風機５で直接アイロン掛けの際に空気孔８より衣類に吹き抜けさせてアイロン掛けを早め、乾燥力を上げるもので従来のスチームアイロンよりも同じ温度と圧力の空気に含まれる水の量が極端に少なく飽和水蒸気曲線で証明されるようにスチームよりも優れた乾燥力で梅雨時期の生乾きの無いことと通常期にも示される優れた乾燥力、それによる短時間でアイロン掛けできるメッシュ状のヒーター機能を付けた上記構造のアイロン。
【発明の詳細な説明】
［発明の名称］メッシュ状のヒーター機能付きアイロン
［発明の詳細な説明］
この発明はアイロンにメッシュ状のヒーター機能をつけたものである。
従来アイロンはスチーム（蒸気）機能はあったが蒸気は湿度が高く、乾燥に時間が掛かることや図３から分るように乾燥力が低い為に梅雨時期の生乾きなど不便な場合が多かった。
本発明はその欠点を除く為になされたもので、それを図面について説明すれば、図１においてアイロン１０の握り３内部右端に送風機５をまた外部右端に防護網６を中央には送風機２を左端には温度等の切換えスイッチ１を、送風機５から底板９までは空気の通り道４を取り付け、底板９には空気孔８を空け底板９の上にエアシールの為のエアシールカバー７を取り付けたものである。
本発明はこのような構造であるから、アイロン掛けの際加熱空気を使い衣類に直接吹き抜けさせて乾燥することができる。なお、本発明のメッシュ状のヒーターはニクロム合金以外にも他の発電体でもよい。また、ドライヤー兼用アイロンとは明らかに違う。
また使い易い形であればメッシュ状のヒーター機能を何処につけてもよい。
［図面の簡単な説明］
［図１］本発明の正面図である。
［図２］本発明の底面図である。
［図３］本発明用の飽和水蒸気曲線図である。
［符号の説明］
１は切換えスイッチ、２はメッシュ状のヒーター、３は握り、４は空気の通り道、５は送風機、６は防護網、７はエアシールカバー、８は空気孔、９は底板、１０はアイロン
［書類名］明細書
［発明の名称］ドライヤー機能付きアイロン
［特許  請求の範囲］
［請求項１］
エアシールカバー７でエアシールしたアイロン１０内部の空間における一定の平衡定数を持つ気液平衡状態において、スチームアイロンの様な気相側の加湿を行わないで同じ位の温度の風及びその他の温度の風をアイロン掛けの際、スイッチ１をＯＮにして通電することで開放された空間に在るアイロン掛けしたい物に底板９の空気孔８から直接熱風を吹き掛け通過させれる様、エアシールしたアイロン１０の内部でヒートコイル２を適切な温度に発熱させ、空気の通り道４内部に在るヒートコイル２から見て空気孔８の反対側に設けているファン５で起こした風をヒートコイル２に通過させ、その時の伝熱で風を熱風に変え、気相側の湿度を低く保ったままアイロン掛けしている物に直接熱風を吹き掛け通過させることと、底板９からの加熱の並用による加熱式乾燥の相乗効果によりアイロン掛けの際アイロン掛けしたい物に含まれている水分つまり液相が気液平衡を定数通り保つ為直ぐに気相側に移動つまり乾燥する様、これは文部省が中学、高校の理科の教科書に採用している同じ温度の空気の場合湿度の低い空気程水分つまり液相がよく乾燥するつまり気相側に移動するという乾燥原理の様にアイロン１０に熱風機能つまりドライヤー機能を取り付けた上記構造のアイロン。
［発明の詳細な説明］
この発明はアイロンにドライヤー機能をつけたものである。
従来、アイロンにはスチーム（蒸気）機能はあったが蒸気は湿度が高く、乾燥に時間が掛かり不便な場合が多かった。
本発明はその欠点を除くためになされたもので、それを図面について説明すれば、図１においてアイロン１０の握り３内部右端にファン５をまた外部右端に防護網６を中央にはヒートコイル２を左端には熱風、冷風等の切換スイッチ１を、ファン５から底板９までは空気の通り道４を取り付け、底板９には空気孔８を空け、底板９の上にエアシールの為のエアシールカバー７を取り付けたものである。
本発明はこのような構造であるから、乾燥の際熱風、冷風を使い乾燥することができる。なお、本発明のヒートコイル２はニクロム線でなく発熱するものなら他の電熱体でもよい。
また使いやすい形であればドライヤー機構を何処につけてもよい。
［図面の簡単な説明］
［図１］本発明の正面図である。
［図２］本発明の底面図である。
［符号の説明］
１は切換スイッチ、２はヒートコイル、３は握り、４は空気の通り道、５はファン、６は防護網、７はエアシールカバー、８は空気孔、９は底板、１０はアイロン
【図１】
2006218274.tif 000003
【図２】
2006218274.tif 000004
【図３】
2006218274.tif 000005
【手続補正書】
【提出日】平成17年7月11日(2005.7.11)
【手続補正１】
【補正対象書類名】明細書
【補正対象項目名】全文
【補正方法】変更
【補正の内容】
【発明の詳細な説明】
【発明の分野】
【０００１】  本発明は、アイロンに関するものであり、アイロンの底から出す気体を、蒸気より乾燥し易い熱風が出せるようアイロンにメッシュ状のヒーター機能を付けることによって、蒸気よりも同じ温度で湿度の低い熱風でアイロン掛けの際同圧力下のスチーム（蒸気）よりも優れた乾燥力と乾燥速度で梅雨時期の生乾きの無いことと短時間でアイロン掛けできるようにしたもので飽和水蒸気曲線で証明される上記構造のアイロン。
【背景技術】
【０００２】  従来からアイロンとして、スチームアイロンが利用されている。この例として、特許文献１に開示されているものがある。
【特許文献１】  特開昭５４−６８４９４号公報
【発明の開示】
【発明が解決しようとする課題】
【０００３】  しかし、従来のようなスチームアイロンでは乾燥力が低く、乾燥に時間が掛かることや図３から分るように梅雨時期の生乾きなどが生じることがあり非常に不便である。本発明は、このような、アイロン掛けに時間が掛かることや梅雨時期の生乾きなどが生じるという不都合を解決することを課題とする。
【課題を解決するための手段】
【０００４】  この課題を解決するための請求項１の発明は、アイロンこの底から熱風が出せるようにアイロン１０にメッシュ状のヒーター２、送風機５を付けたことを特徴とする、飽和水蒸気曲線で証明されるようにスチームよりも乾燥力の強いアイロンである。熱風でアイロン掛けすることによりアイロンの底から出す気体の温度を極端に下げることができ乾燥が速くスムーズにアイロン掛けできる。アイロン１０をエアシールカバー７でシールし底板９の空気孔８より熱風を出す。
【発明の効果】
【０００５】  本発明により、アイロン掛けの際乾燥時間が掛かっていた衣類も時間の短縮ができ梅雨時期の生乾きなどの不都合はおきず、飽和水蒸気曲線で証明される優れた乾燥力でアイロン掛けできる。
【発明を実施するための最良の形態】
【０００６】  図１は、アイロンの１部にメッシュ状のヒーター機能を付けたことを特徴とする、メッシュ状のヒーター機能付きアイロンの正面図である。同図に示すように、アイロンの一部に付けたメッシュ状のヒーター機能により、アイロン掛けの際送風機でアイロンの底から熱風を出しスチームよりも優れた乾燥力でアイロン掛けできる。【０００７】  本発明のメッシュ状のヒーターはニクロム合金以外にも他の発電体でもよい。また、ドライヤー兼用アイロンとは明らかに違う。
また使い易い形であればメッシュ状のヒーター機構を何処につけてもよい。
【産業上の利用可能性】
【０００８】  本発明に係るアイロンは、工業的に量産することが可能であるため、産業上の利用可能性を有する。
【図面の簡単な説明】
【０００９】
【図１】  アイロンの一部にメッシュ状のヒーター機能を付けた本発明の正面図である。
【図２】  アイロンの一部にメッシュ状のヒーター機能を付けた本発明の底面図である。
【図３】  同温同圧における気体の湿度による乾燥力の違いを比較証明するための飽和水蒸気曲線図である。
【符号の説明】
【００１０】  １切換えスイッチ
２メッシュ状のヒーター
３握り
４空気の通り道
５送風機
６防護網
７エアシールカバー
８空気孔
９底板
１０アイロン
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
１
エアシールカバー７でエアシールしたアイロン１０内部の空間にある空気にメッシュ状のヒーター２による加熱を加えることにより飽和水蒸気曲線■３によって証明される加熱による飽和水蒸気量上昇分、上限上昇分の蒸気の吸水力をもたせることでより乾燥し易い空気を作り、その加熱した空気を送風機５で直接アイロン掛けの際に空気孔８より衣類に吹き抜けさせてアイロン掛けを早め、乾燥力を上げるもので従来のスチームアイロンよりも同じ温度と圧力の空気に含まれる水の量が極端に少なく飽和水蒸気曲線で証明されるようにスチームよりも優れた乾燥力で梅雨時期の生乾きの無いことと通常期にも示される優れた乾燥力、それによる短時間でアイロン掛けできるメッシュ状のヒーター機能を付けた上記構造のアイロン。